(57)【要約】【課題】高湿度な空間における、高性能の調湿材料である多孔質粒状成形体の調湿性能を有効に発揮させることができ、簡便に繰り返して該調湿作用を回復させることができる、多孔質粒状成形体用容器を提供する。【解決手段】  箱状の容器であって、少なくとも正面に複数の開口が設けられ、側面、上面及び下面の少なくとも１面に該容器を連結する係合部を備え、該容器の内部に多孔質粒状成形体を収容する多孔質粒状成形体用容器及び、該容器を複数個連結した孔質粒状成形体用連結容器である。【選択図】  図４
0003157558.tif 000002
【実用新案登録請求の範囲】
【請求項１】
箱状の容器であって、少なくとも正面に複数の開口が設けられ、側面、上面及び下面の少なくとも１面に該容器を連結する係合部を備え、該容器の内部に多孔質粒状成形体を収容することを特徴とする、多孔質粒状成形体用容器。
【請求項２】
請求項１の多孔質粒状成形体用容器において、同一面上には、複数の係合凸部又は係合凹部が設けられていることを特徴とする、多孔質粒状成形体用容器。
【請求項３】
請求項１又は２記載の多孔質粒状成形体用容器において、該容器の表面積に対する該開口が占める割合は、該多孔質粒状成形体を該容器内に収容した状態で外気下にて乾燥することが可能なように設定されていることを特徴とする、多孔質粒状成形体用容器。
【請求項４】
請求項１〜４いずれかの項記載の多孔質粒状成形体用容器において、湿度インジケータを該容器の該正面の一部に設置していることを特徴とする、多孔質粒状成形体用容器。
【請求項５】
請求項１〜４いずれかの項記載の多孔質粒状成形体用容器複数個を該係合部で連結して一体化してなることを特徴とする、多孔質粒状成形体用連結容器。
【考案の詳細な説明】
【技術分野】
【０００１】
本考案は、多孔質粒状成形体用容器及び該容器を複数連結した多孔質粒状成形体用連結容器に関し、設置場所の容積に応じて必要な容量の調湿材を可変的に設置することができるとともに、該調湿材を収容したまま繰り返し使用することができる、多孔質粒状成形体用容器及び該容器を複数連結した多孔質粒状成形体用連結容器に関する。
【背景技術】
【０００２】
最近、生活環境の快適性、具体的には快適な居住空間を実現するために住居の気密性が高くなってきている。
押し入れ、クローゼットあるいは倉庫は、もともと通気性に難があり、強制的に外気を導入するような装置が設置されていることも稀であり、そのため、高温・高湿度になりがちな環境を有している。
【０００３】
特に、長期間その高温・高湿度状態が続く日本特有の梅雨時期には、かかる居住空間の気密性を高めた結果、ダニやカビが発生し、また冬期に屋外と屋内で温度差が生じると、結露により、やはりカビ、ダニが発生し、室内の汚れだけでなく、人体に対してもアレルギーを引き起こす等の問題が生じている。
【０００４】
このため、従来は吸湿材が収容されている容器等を布団、衣類、家具、雑貨等の置かれた隙間に設置したり、又は吊るして置かれている。
また、押入れ等の収納スペースは、各家屋によってその大きさは様々であり、調湿材を設置する収納空間に対して、最適な量の調湿材料を設置し、最適な調湿機能を発現させるための設計が容易ではなかった。
【０００５】
一方、従来の吸湿材は一度吸水すると、高温で乾燥し元の吸湿性能を取り戻すタイプも存在してはいるが、その場合であっても、容器から吸湿材を取り出して回復作業を行う必要があり、更にその回復性能は十分ではなく、規定水量を吸水すると廃棄処分している。
【０００６】
従来の吸湿材が収容された容器の形状は、棒状あるいはシート状もあるが、現在、一般的に普及しているのは、持ち運びが容易で、取り替えタイプの小型の箱型（１０ｃｍ角程度）が主流である。またかかる容器等に収容されている吸湿材が規定水量を吸水すると、容器ごと廃棄処分にしているのが現状である。
【０００７】
また、梅雨の時期になると、その取替え時期が頻繁になるという不便さが加わるとともに、取り替えないでおくと、特に押し入れおよび倉庫は、吸湿材を置かない状態と同様で、高湿度の状態に戻るため、使用者に負担をかけているのも現状である。
【０００８】
更に、従来の吸湿材収容容器は、小型の箱型形状容器のため、地震の振動や家具の設置場所によっては転倒する可能性があり、箱下部に、吸水して貯水した水が、容器の転倒によって、容器外に排出したり、あるいは容器内でも吸湿材を損傷してしまう場合があった。
【０００９】
実用新案出願公告昭６１−１９７８２号には、被調湿部材が収納される開口を有する容器、この容器の開口を閉塞する対向部を有し、この対向部から中央に向かって膨らみ中央部に設けられた蓋、上記蓋の開口部に一部嵌設された中空の固定軸、この固定軸と上記蓋の内壁との間を連結し、複数の穴を有する固定板、この固定板と上記蓋との間に充填された吸湿剤、上記固定軸の中空部に回動可能に挿入された可動軸、この可動軸に上記固定板と対向して連結され、複数の穴を有する可動板を備え、上記固定板の複数の穴と上記可動板の複数の穴とが上記可動軸の回動により互いに直通又は封止されることを特徴とする調湿装置が開示されている。
【００１０】
しかし、上記調湿装置は、収容されている調湿材が大気と接触することを遮断して調湿時以外の吸湿材の劣化を防止し、調湿材の寿命を延ばすこととしており、結局調湿材が一定の吸水量に達すると、該装置から調湿材を取り出して取り替える必要があった。
また、上記装置は固定位置に設置されるものであるので、装置ごと調湿作用を回復させて繰り返し使用できるものではない。
【先行技術文献】
【特許文献】
【００１１】
【特許文献１】実公昭６１−１９７８２号公報
【考案の概要】
【考案が解決しようとする課題】
【００１２】
本考案の目的は、上述した問題点を解消し、高湿度な空間の容量に応じて最適な量の調湿材料を可変的に設置することができ、小型化して持ち運びが容易であるとともに、所望する容量の調湿材を設置できるように組み合わせて使用することが可能な、多孔質粒状成形体用容器を提供することである。
また、高性能の調湿材料である多孔質粒状成形体の調湿性能を有効に発揮させることができるように、簡便に繰り返して該調湿作用を回復させることができる、多孔質粒状成形体用容器を提供することである。
特に前記多孔質粒状成形体は、汚泥焼却灰の再資源化を図り、汚泥焼却灰より得られた多孔質粒状成形体であって、何度も繰り返して使用することができる、優れた調湿性能を維持することができる成形体であり、該多孔質粒状成形体の性能を有効に発揮させることができる多孔質粒状成形体用容器を提供することである。
【課題を解決するための手段】
【００１３】
上記課題を解決するため、本考案の多孔質粒状成形体用容器は、箱状の容器であって、少なくとも正面に複数の開口が設けられ、側面、上面及び下面の少なくとも１面に該容器を連結する係合部を備え、該容器の内部に多孔質粒状成形体を収容することを特徴とする、多孔質粒状成形体用容器である。
好適には、上記本考案の孔質粒状成形体用容器において、同一面には、複数の係合凸部又は係合凹部が設けられていることを特徴とする、多孔質粒状成形体用容器である。
【００１４】
更に好適には、上記本考案の多孔質粒状成形体用容器において、該容器の表面積に対する該開口が占める割合は、該多孔質粒状成形体を該容器内に収容した状態で外気下にて乾燥することが可能なように設定されていることを特徴とする、多孔質粒状成形体用容器である。
より好適には、上記本考案の多孔質粒状成形体用容器において、湿度インジケータを該容器の該正面の一部に設置していることを特徴とする、多孔質粒状成形体用容器である。
また、本考案の他の多孔質粒状成形体用連結容器は、上記本考案の多孔質粒状成形体用容器複数個を該係合部で連結して一体化してなることを特徴とする、多孔質粒状成形体用連結容器である。
【考案の効果】
【００１５】
本考案の多孔質粒状成形体用容器は、高湿度な空間の容量に応じて最適な量の調湿材料を可変的に設置することができ、小型化して持ち運びが容易であるとともに、所望する容量の調湿材を設置できるように組み合わせて使用することが可能となる。特に小型されているため、複数個連結することができ、これにより最適な容量の調湿材料を、所望する空間に容易に設置することができる。
また、調湿作用を欲する空間に適切な容量で簡便に設置することができるとともに、高性能の調湿材料である多孔質粒状成形体の性能を損なうことなく、連続的にかつ効率的に良好な調湿作用を発揮させ、押し入れ、クローゼットあるいは倉庫等、もともと通気性に難のある高湿度な室内空間を、快適空間に整え、黴やダニの発生による健康被害を有効に抑制することができる。
また、容器内から調湿材を取り出すことなく、容器ごと簡便に繰り返して該調湿作用を回復させることが可能となり、取り扱いを極めて簡便にすることができる。特に複数個連結してなる本考案の容器は、個々の容器にばらばらにして、各容器に含まれる調湿材を回復させることができるので、短時間での回復を可能とする。
【図面の簡単な説明】
【００１６】
【図１】本考案の多孔質粒状成形体用容器の一例を示す斜視図である。
【図２】本考案の多孔質粒状成形体用容器の一例の正面を模式的に示す正面図である。
【図３】本考案の多孔質粒状成形体用容器の一例の上面（図３（ａ））及び側面（図３（ｂ））を模式的に示す図である。
【図４】本考案の多孔質粒状成形体用容器を複数個連結した、多孔質粒状成形体用連結容器の一例を模式的に示す斜視図である。
【図５】本考案の多孔質粒状成形体用容器を複数個連結した、多孔質粒状成形体用連結容器の一例の内部を模式的に示す正面断面図である。
【図６】本考案の多孔質粒状成形体用容器を高湿度な空間に設置する敷設例の一例である。
【考案を実施するための形態】
【００１７】
本考案の多孔質粒状成形体用容器について、以下に詳細に説明する。
図１は、本考案の多孔質粒状成形体用容器の一例を示す斜視図、図２は、該多孔質粒状成形体用容器の一例の正面を模式的に示す正面図、図３（ａ）は、該多孔質粒状成形体用容器の上面を模式的に示す上面図、図３（ｂ）は、該多孔質粒状成形体用容器の側面を模式的に示す側面図、図４は、図１の容器を複数個連結した多孔質粒状成形体用連結容器の一例を模式的に示す斜視図であり、図５は、該連結容器の内部を模式的に示す正面断面図である。
【００１８】
本考案の多孔質粒状成形体用容器は、箱状の容器であって、少なくとも正面に複数の開口が設けられ、側面Ｃ、上面Ｂ及び底面Ｂの少なくとも１面に該容器を連結する係合部を備え、該容器の内部に多孔質粒状成形体を収容する、多孔質粒状成形体用容器である。
本考案の多孔質粒状成形体用容器１は、箱状の容器であって、少なくとも１面に複数の開口２が設けられている。好ましくは、正面Ａ、裏面、側面Ｃ、底面Ｂ、上面Ｂの全てに開口部２が設けられていることが（図１、図２、図３）、調湿作用及び調湿材の回復時間の短縮の点から望ましい。
また、該容器１は小型で薄型であることが好ましく、該容器１は係合部４、５を備えており、前記小型容器１を複数個連結することで、図４に示す連結容器７とすることが可能である。
【００１９】
このように図１の成形体用容器１には係合凸部４と係合凹部５とが備わっているため、該成形体用容器１の係合凹部５と係合凸部４を、別の該成形体用容器１の係合凸部４と係合凹部５とにそれぞれ係合させることで連結することができ、これにより複数個の該成形体用容器１が一体化した連結容器７となる。
該係合部（４、５）の形状は特に限定されず、互いに連結できる形状であれば、任意の係合部形状を適用することができる。該容器１の同一面には、複数の係合凸部又は係合凹部が設けられていることが望ましい。
該本考案の多孔質粒状成形体用容器７とすることで、調湿作用を所望する空間の容量に応じて図１の容器１を複数個連結し、該空間に対して適切な量の調湿材３を、該空間に設置することができることとなる。従って、収納部への必要最低限の個数を用いて設置することが可能となる。
【００２０】
該開口２は、複数の孔形状、スリット形状、網目形状、パンチングメタル形状であってもよく、多孔質粒状成形体用容器１の内部に収容されている調湿材３である多孔質粒状成形体３の調湿作用が発揮できれば特にその形状はこだわらない。
例えば、表面の開口２の仕様は、直径１〜５０ｍｍの円形あるいは楕円形（長丸）、または長角形状で、孔の配列は千鳥配列あるいは並列配列で設けられていてもよい。
【００２１】
また、該容器１の表面積に対する該開口２が占める割合は、該多孔質粒状成形体３を該容器１内に収容した状態で外気下にて乾燥することが可能なように設定されている。
例えば、開孔率としては、開口と非開口部の比率が、特に１：１〜１：５であることが望ましい。
これにより、本考案の容器１ごと取出し、外気中で（天日）乾燥させ、設置当初と同等の調湿性能（主に吸湿）を回復することが可能となる。
また連結容器７の場合には、個々に容器１にばらばらにすることで、外気との接触面積を増大させることができ、内部の調湿材３の調湿作用を短時間で回復させることが可能となる。
【００２２】
また、該容器１の材質は、金属系（ＳＵＳ３０４等）あるいはプラスチック系（強化プラスチック、繊維補強プラスチックを含む）、木質系（ベニヤ等）や紙系（ダンボール等）等、任意の素材を用いることができる。
【００２３】
本考案の内部に収容される多孔質粒状成形体３は、調湿作用を有するものであれば特に限定されず、任意の調湿材３を適用することができるが、特に次の高性能調湿材である多孔質粒状成形体３を適用することが望ましい。
好適な多孔質粒状成形体調湿材３としては、汚泥焼却灰の酸処理により得られる多孔質粒状成形体であり、さらに好ましくは当該成形体の表面にブチラール樹脂の被膜を設けたものである。
【００２４】
該多孔質粒状成形体３の原料汚泥焼却灰は、下水処理場で発生する汚泥を焼却した汚泥焼却灰の他に、し尿、家庭用雑排水、産業用排水処理等によって発生した汚泥の焼却灰等があり、また焼却灰には、高分子凝集剤を使用した汚泥を焼却したものと、石灰系凝集剤を使用した汚泥を焼却したものがあるが、両者とも適用できる。
汚泥焼却灰の形態は、酸添加により十分な溶解反応が行われ、最終的に均質な多孔質粒状体が得られれば特に制限はされず、粉末等の成形されていないものに限らず、ペレット状、板状、錠剤状等に成形されたものでも酸添加による接触処理が可能である。
該汚泥焼却灰に、硝酸、塩酸や硫酸等の鉱酸等の酸水溶液を添加するか、または酸性ガスと接触させて、多孔質粒状体とする。
また、必要に応じて多孔質粒状成形体３の表面に、ブチラール樹脂の被膜を設けてもよい。このような、本考案の内部に収容される好適な多孔質粒状成形体３は、吸水し続けることで、水が溜まることのない、優れた調湿性能（吸湿性能・放湿性能）を有し、振動等によっても該調湿材から微粉塵の発生を抑制することができ、環境的にも良好な調湿材であり、外気にさらすこと等の簡便な方法により、容易に吸湿性能を回復することができるため、繰り返して何度も調湿材として使用することができる。
【００２５】
また、本考案の多孔質粒状成形体用容器１は、調湿材料である多孔質粒状成形体３を予め収容した小型の箱型形状の容器を基本とするものであり、その容器は薄型形状をしており、複数個連結して適切な容量で用いることができるため、省スペース化が可能で、押し入れ等の壁面に沿って設置することにより、布団や家具等比較的嵩高い材料を効率的に入れることに適した形状となっている。
また、押入れ等への敷設には、該容器の裏面に留め具等を設けることで容易に敷設することが可能である。
また、本考案の多孔質粒状成形体用容器１において、該多孔質粒状成形体３は各容器１内に収容されている（図５）。
また、該多孔質粒状成形体３を収容するための隔壁を内部に設けてもよく、多孔質粒状成形体３を収容する収容部が複数設けられてもよい。
特に水平方向の該隔壁は多孔質粒状成形体３を保持するための保持部をも形成しており、該保持部に多孔質粒状成形体３を設置することができる。
【００２６】
更に、本考案の多孔質粒状成形体用容器１の該表面の一部に、湿度インジケータ６を接着等により設置することで、本考案に収容されている多孔質粒状成形体調湿材の吸湿状況を容易に把握することができる。これにより、水分を十分に吸湿した多孔質粒状成形体を収容する本考案の容器を、容器ごと外気にさらして、乾燥させることにより、初期性能を回復させることを容易にすることができる。また、連結容器７においては、各容器にインジケータ６を設置することにより、各容器ごとに吸湿状況を判断することができ、個々の容器ごとに調湿機能を回復させることも可能になる。
該湿度インジケータカードは、不可逆タイプ（例：サンアイ（株）ＭＸ５６７８９）が好ましいが、可逆タイプも適用することが可能である。
【００２７】
本考案の多孔質粒状成形体用容器１は、押し入れや倉庫等の高湿度の狭い空間に、高性能の調湿材料である多孔質粒状成形体を効果的に敷設できる容器である。
例えば、図１の本考案の多孔質粒状成形体用容器１（３０×２０×厚み３ｃｍ）を図４に示すように６個連結し、該連結した多孔質粒状成形体用連結容器７を、一般的な家屋（一戸建て）で、湿度の高い北面に面する部屋の押し入れに敷設した（図６）。
該一部の容器の裏面に留め具を設けることで、押入れに容易に敷設することもできる。
また、本考案の多孔質粒状成形体用連結容器７を敷設しない、隣り合う押し入れとの比較検証を実施した（図６）。
温・湿度の測定には、（株）ディ・アンド・ディ社温湿度計「おんどとりＷｉｒｅｌｅｓｓ  ＲＴＲ−７２」を使用した。また、測定期間は、梅雨時期（６月）の１ケ月間とした。
【００２８】
【表１】
0003157558.tif 000003
【００２９】
上記表１より、本考案の連結容器７を設置することにより、押し入れ内の相対湿度は、未設置の場合と比較して、保管庫として適切な空間となったことがわかる。
【００３０】
また、上記本考案の多孔質粒状成形体用連結容器７は、押し入れや倉庫等の高湿度の狭い空間に敷設して、十分に吸湿した多孔質粒状成形体３を収容する容器自体を、乾季に外気下で、特に天日によって乾燥させることによって、初期の調湿性能、主に吸湿性能を回復させることができた。
【００３１】
具体的には、上記本考案の多孔質粒状成形体連結用容器７に収容されている多孔質粒状成形体調湿材料の総重量（調湿材料を含む容器全重量−調湿材料を除く容器重量）を測定し、その結果を表２に示す。
なお、乾燥時間は、該連結容器自体を一体化の状態のままで、または個々の容器１にばらばらにした状態で、外気、すなわち天日に２日間（２日間の平均気温は２４．９℃）、午前９時から午後３時までの６時間とした。
本考案の連結容器全体に収容されている多孔質粒状成形体調湿材料３の初期総重量を１００とすると、該調湿材料の飽和吸湿時の総重量は１４０となった。
なお、一体化した連結容器７を天日干ししたものと、６個の個々の容器１をそれぞれ天日干ししたものの合計総重量を表２に示す。
【００３２】
【表２】
0003157558.tif 000004
【００３３】
上記表２より、本考案の多孔質粒状成形体用容器は、個々の容器ごと、乾季に外気下で、天日によって乾燥させることによって、短時間で初期の調湿性能、主に吸湿性能十分に回復することができ、これにより繰り返し使用することが可能となった。
【産業上の利用可能性】
【００３４】
本考案の多孔質粒状成形体調湿材用収容容器は、単独でまたは連結して、主に、押し入れ、クローゼットあるいは倉庫、更には床下または天井内にも適用することが可能である。
【符号の説明】
【００３５】
１    多孔質粒状成形体用容器
２    開口
３    多孔質粒状成形体
４    係合凸部
５    係合凹部
６    湿度インジケータ
７    多孔質粒状成形体用連結容器
Ａ    多孔質粒状成形体用容器の正面
Ｂ    上面、底面
Ｃ    側面
【図１】
0003157558.tif 000005
【図２】
0003157558.tif 000006
【図３】
0003157558.tif 000007
【図４】
0003157558.tif 000008
【図５】
0003157558.tif 000009
【図６】
0003157558.tif 000010
【手続補正書】
【提出日】平成21年12月9日(2009.12.9)
【手続補正１】
【補正対象書類名】実用新案登録請求の範囲
【補正対象項目名】全文
【補正方法】変更
【補正の内容】
【実用新案登録請求の範囲】
【請求項１】
箱状の容器であって、少なくとも正面に複数の開口が設けられ、側面、上面及び下面の少なくとも１面に該容器を連結する係合部を備え、該容器の内部に多孔質粒状成形体を収容することを特徴とする、多孔質粒状成形体用容器。
【請求項２】
請求項１の多孔質粒状成形体用容器において、同一面上には、複数の係合凸部又は係合凹部が設けられていることを特徴とする、多孔質粒状成形体用容器。
【請求項３】
請求項１又は２記載の多孔質粒状成形体用容器において、該容器の表面積に対する該開口が占める割合は、該多孔質粒状成形体を該容器内に収容した状態で外気下にて乾燥することが可能なように設定されていることを特徴とする、多孔質粒状成形体用容器。
【請求項４】
請求項１〜３いずれかの項記載の多孔質粒状成形体用容器において、湿度インジケータを該容器の該正面の一部に設置していることを特徴とする、多孔質粒状成形体用容器。
【請求項５】
請求項１〜４いずれかの項記載の多孔質粒状成形体用容器複数個を該係合部で連結して一体化してなることを特徴とする、多孔質粒状成形体用連結容器。